(57)【要約】      （修正有）【課題】カメラ本体が交換レンズの絞り値を設定した後に、使用者によりズーム倍率が変更されても適切な露出制御を可能にする、カメラ本体、交換レンズ、及び撮像装置を提供する。【解決手段】交換レンズは、絞り及び可動レンズを含み、カメラ本体に着脱可能なものであり、カメラ本体から送信されるフレーム毎の交換レンズの明るさに関する情報の送信を要求する要求信号を受信する要求信号受信部（３１）と、要求信号受信部が要求信号を受信すると、絞り及び可動レンズの状態に基づいて、交換レンズの明るさに関する情報を算出する明るさ情報算出部（３２）と、算出された交換レンズの明るさに関する情報をカメラ本体に送信する明るさ情報送信部（３３）と、を有する。【選択図】図４
2009282510.tif 000002
【特許請求の範囲】
【請求項１】
被写体像を撮像する撮像部を含むカメラ本体に着脱可能な交換レンズであって、
絞りと、
可動レンズと、
要求信号を前記カメラ本体から受信する要求信号受信部と、
前記要求信号受信部が前記要求信号を受信すると、前記絞り及び可動レンズの状態に基づいて、前記交換レンズの明るさに関する情報を算出する明るさ情報算出部と、
前記算出された前記交換レンズの明るさに関する情報を前記カメラ本体に送信する明るさ情報送信部と、を備え、
前記要求信号は、前記撮像部で撮像されるタイミングに対応して前記カメラ本体から順次送信される信号である、
交換レンズ。
【請求項２】
前記可動レンズはズームレンズ又はフォーカスレンズである、請求項１に記載の交換レンズ。
【請求項３】
交換レンズを着脱可能なカメラ本体であって、
被写体像を撮像する撮像部と、
前記撮像部で撮像されるタイミングに対応して前記交換レンズに要求信号を送信する要求信号送信部と、
前記要求信号に応じて前記交換レンズから送信された前記交換レンズの明るさに関する情報を受信する明るさ情報受信部と、
受信した前記明るさに関する情報に応じて、露出状態を調整する必要があるか否かを判別する判別部と、
前記判別部の判別結果に応じて、前記交換レンズ及び／又は前記カメラ本体を制御することにより、露出状態を調整する調整部と、
を有するカメラ本体。
【請求項４】
前記調整部は、前記撮像部が動画像を生成している場合、前記カメラ本体を優先的に制御することにより、露出状態を調整する、請求項３に記載のカメラ本体。
【請求項５】
前記調整部は、前記カメラ本体が録音時である場合、前記カメラ本体を優先的に制御することにより、露出状態を調整する、請求項３に記載のカメラ本体。
【請求項６】
前記調整部は、前記カメラ本体が省電力モードに設定されている場合、前記カメラ本体を優先的に制御することにより、露出状態を調整する、請求項３に記載のカメラ本体。
【請求項７】
前記調整部は、前記カメラ本体でフリッカーの発生を検出した場合、前記交換レンズを優先的に制御することにより、露出状態を調整する、請求項３に記載のカメラ本体。
【請求項８】
前記調整部は、前記カメラ本体で前記撮像部の電荷の飽和を検出した場合、前記交換レンズを優先的に制御することにより、露出状態を調整する、請求項３に記載のカメラ本体。
【請求項９】
絞り及び可動レンズを含む交換レンズと、前記交換レンズを着脱可能なカメラ本体と、を備える撮像装置であって、
前記交換レンズは、
要求信号を前記カメラ本体から受信する要求信号受信部と、
前記要求信号受信部が前記要求信号を受信すると、前記絞り及び可動レンズの状態に基づいて、前記交換レンズの明るさに関する情報を算出する明るさ情報算出部と、
前記算出された前記交換レンズの明るさに関する情報を前記カメラ本体に送信する明るさ情報送信部と、を備え、
前記要求信号は、前記撮像部で撮像されるタイミングに対応して前記カメラ本体から順次送信される信号であり、
前記カメラ本体は、
被写体像を撮像する撮像部と、
前記撮像部で撮像されるタイミングに対応して前記交換レンズに要求信号を送信する要求信号送信部と、
前記要求信号に応じて前記交換レンズから送信された前記交換レンズの明るさに関する情報を受信する明るさ情報受信部と、
受信した前記明るさに関する情報に応じて、露出状態を調整する必要があるか否かを判別する判別部と、
前記判別部の判別結果に応じて、前記交換レンズ及び／又は前記カメラ本体を制御することにより、露出状態を調整する調整部と、
を有する、撮像装置。
【発明の詳細な説明】
【技術分野】
【０００１】
本発明は、カメラ本体に着脱可能な交換レンズ、交換レンズを着脱可能なカメラ本体、及び交換レンズとカメラ本体とを備える撮像装置に関する。
【背景技術】
【０００２】
従来から、カメラ本体に交換レンズを装着して被写体像を撮像することにより、静止画を生成する一眼レフカメラなどの撮像装置が利用されている。従来の撮像装置において露出状態を制御するとき、スチルカメラ本体が交換レンズに対して明るさ（例えば、絞り値）を指示し、交換レンズは指示された明るさになるように絞りの開口径等を調整している。また、特許文献１に記載のように、一眼レフカメラ用交換レンズをビデオカメラ本体に装着して被写体像を撮像することにより、動画を生成する撮像装置もある。特許文献１に記載の撮像装置は、ビデオカメラ本体と一眼レフカメラ用交換レンズとの間にアダプタを設けている。アダプタは、ビデオカメラ本体から送信された目標の映像信号レベルと、交換レンズから検出した映像信号レベルとの差に応じて、交換レンズの絞りの駆動量及び駆動速度を決定している。
【先行技術文献】
【特許文献】
【０００３】
【特許文献１】特開２００６−２１５３１０号公報
【発明の概要】
【発明が解決しようとする課題】
【０００４】
従来の撮像装置は、撮影開始前に、カメラ本体及び交換レンズの露出調整を行っていた。具体的には、図１５に示すように、撮影が開始される前に、カメラ本体は、露出を調整させるための制御信号（例えば、絞り値「Ｆ８」）を交換レンズに送信し、交換レンズは、受信した制御信号に基づいて、絞り値「Ｆ８」となるように交換レンズに設けられた絞りを調整する。且つ、カメラ本体は、指定した絞り値「Ｆ８」に基づいて、カメラ本体に設けられた撮像部等の露出制御を行う。このようにして、従来の撮像装置は露出状態を制御していた。交換レンズの明るさは、交換レンズに設けられた絞りの開口径やズームレンズの位置（ズームポジション）によって変化する。そのため、使用者が交換レンズのズームリングを手動で操作してズーム倍率を変更すると、交換レンズの明るさが変化する。具体的には、例えば、図１５において、絞り値「Ｆ８」に基づいて、交換レンズ及びカメラ本体の露出が調整された後に、使用者が交換レンズのズームリングを操作することにより交換レンズのズーム倍率を変更すると、ズームレンズの位置が変更されてしまう。その結果、カメラ本体に設けられた撮像素子に当たる光の量が変化する。すなわち、交換レンズの明るさが変わり、絞り値は例えば「Ｆ１１」に変化する。しかし、カメラ本体では、交換レンズ側において絞り値が変化したことを検知できないため、絞り値「Ｆ８」のままの撮像条件（例えば、感度や撮像時間）で撮像を行なってしまう。そのため、動画像撮影中などのように連続的に画像データを生成しているときに交換レンズ側で絞り値が変化すると、カメラ本体は、撮像素子の適切な露出制御を行って動画像データを生成することができなくなるという問題があった。
【０００５】
このように、従来の撮像装置では、撮像素子で順次生成される画像データ間（例えば、動画撮影中）では、マニュアルでズームレンズが操作されると、撮像素子の適切な露出制御を行うことができないという問題があった。具体的には、カメラ本体が交換レンズの絞り値を設定した後に、使用者によりズーム倍率が変更されると、適切な露出制御ができなくなるという問題があった。
【０００６】
本発明は、上記問題を解決するものであって、撮像素子で順次生成される画像データ間で、撮像素子の適切な露出制御を行うことを可能にするカメラ本体、そのカメラ本体に装着可能な交換レンズ、及びそのようなカメラ本体と交換レンズを備えた撮像装置を提供することを目的とする。具体的には、カメラ本体が交換レンズの絞り値を設定した後に、使用者によりズーム倍率が変更されても適切な露出制御を可能にする、カメラ本体、交換レンズ、及び撮像装置を提供する。
【課題を解決するための手段】
【０００７】
本発明の交換レンズは、被写体像を撮像する撮像部を含むカメラ本体に着脱可能である。交換レンズは、絞りと、可動レンズと、要求信号を前記カメラ本体から受信する要求信号受信部と、前記要求信号受信部が前記要求信号を受信すると、前記絞り及び可動レンズの状態に基づいて、前記交換レンズの明るさに関する情報を算出する明るさ情報算出部と、前記算出された前記交換レンズの明るさに関する情報を前記カメラ本体に送信する明るさ情報送信部と、を備える。前記要求信号は、前記撮像部で撮像されるタイミングに対応して前記カメラ本体から順次送信される信号である。
【発明の効果】
【０００８】
本発明によれば、カメラ本体が撮像部で撮像されるタイミングに対応して（例えば、フレーム毎に）、交換レンズの明るさに関する情報の送信を要求する要求信号を交換レンズに送信し、交換レンズがその要求信号に応じて交換レンズの明るさに関する情報をカメラ本体に送信するようにしているため、カメラ本体が露出調整のための制御信号（例えば、絞り値）を交換レンズに送信した後に、使用者による交換レンズに対する操作によりズーム倍率が変更されて、絞り値が変化した場合であっても、適切な露出制御が可能になる。すなわち、撮像素子で順次生成される画像データ間で、撮像素子の露出制御を円滑に行うことが可能になる。
【図面の簡単な説明】
【０００９】
【図１】本発明の一実施形態のデジタルカメラの斜視図
【図２】本発明の一実施形態のデジタルカメラの構成を示すブロック図
【図３】本発明の実施形態のデジタルカメラの絞り値テーブルを示す図
【図４】本発明の実施形態のカメラ本体のＣＰＵと交換レンズのレンズコントローラを機能的に示したブロック図
【図５】本発明の実施形態のカメラ本体と交換レンズ間の、絞り値の送信要求と絞り値の送信のシーケンスを示す図
【図６】本発明の実施形態のカメラ本体と交換レンズ間のデータのやり取りの流れを示すフローチャート
【図７】本発明の実施形態のデジタルカメラにおける自動露出調整動作のフローチャート
【図８】本発明の実施形態のデジタルカメラにおける自動露出調整動作のフローチャート
【図９】本発明の実施形態のデジタルカメラにおける自動露出調整動作のフローチャート
【図１０】本発明の実施形態のデジタルカメラにおける自動露出調整動作のフローチャート
【図１１】本発明の実施形態のデジタルカメラにおける自動露出調整動作のフローチャート
【図１２】本発明の実施形態のデジタルカメラにおける自動露出調整動作のフローチャート
【図１３】本発明の実施形態のデジタルカメラにおける手動露出調整動作のフローチャート
【図１４】本発明の実施形態のデジタルカメラにおける絞り値が変更したときの表示画面の例を示す図
【図１５】従来のカメラにおける絞り値の制御を示す図
【図１６】本発明の実施形態のデジタルカメラにおける自動露出調整動作のフローチャート
【図１７】本発明の実施形態のデジタルカメラにおける自動露出調整動作のフローチャート
【発明を実施するための形態】
【００１０】
以下、本発明の実施形態について添付の図面を参照して説明する。本実施形態において、撮像装置は、デジタル一眼カメラ（以下、単に「デジタルカメラ」と言う。）である。本実施形態のデジタルカメラは、フレーム毎に明るさに関する情報を要求する要求信号をカメラ本体から交換レンズに送信することによって、使用者によって交換レンズ側でズーム倍率が変更されて交換レンズの明るさが変化した場合でも、カメラ本体による適切な露出制御を可能にするものである。
【００１１】
１．構成
１−１  全体構成
図１に、本発明の実施形態に係るデジタルカメラ１の斜視図を示す。本実施形態のデジタルカメラ１は、カメラ本体２と、カメラ本体２に着脱可能な交換レンズ３と、を備える。カメラ本体２は、交換レンズ３の光学系によって集光された被写体像を撮像して、画像データとして記録する。カメラ本体２は、交換レンズ３に対して、露出調整のための制御信号（すなわち、明るさに関する情報）を送信可能な構成を有する。本実施形態において、「明るさに関する情報」は「絞り値（Ｆ値）」である。なお、明るさに関する情報は、ＡＶ（Aperture Value）であってもよい。図２に、図１のデジタルカメラ１の具体的構成を示すブロック図を示す。
【００１２】
１−２  カメラ本体の構成
カメラ本体２は、ＣＭＯＳセンサ（ＣＭＯＳイメージセンサー）２０１、メカシャッタ２０２、信号処理プロセッサ２０３（ＤＳＰ）、バッファメモリ２０４、液晶モニタ２０５、電子ビューファインダ２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、及びスピーカ２１５を備える。
【００１３】
ＣＭＯＳセンサ２０１は、被写体像を撮像して、画像データ（デジタル信号又は電気信号）を生成する撮像部である。ＣＭＯＳセンサ２０１は、受光素子（撮像素子）と、ＡＧＣ（ゲイン・コントロール・アンプ）と、ＡＤコンバータを含む。受光素子は、交換レンズ３の光学系によって集光された光学的信号を電気信号に変換する。ＡＧＣは、受光素子から出力された電気信号を増幅する。ＡＤコンバータは、ＡＧＣから出力された電気信号をデジタル信号に変換する。
【００１４】
ＣＭＯＳセンサ２０１は、ＣＰＵ２１１から送信される制御信号に従って、露光、転送、電子シャッタなどの各種の動作を行う。この各種動作は、内蔵するタイミングジェネレータ等で実現可能である。ＣＭＯＳセンサ２０１の動作としては、静止画像の撮像動作、動画像の撮像動作等である。なお、ＣＭＯＳセンサ２０１で生成された動画像は、例えば、液晶モニタ２０５に表示される。この液晶モニタ２０５に表示される動画像を、スルー画像と呼ぶ。スルー画像は、ユーザが静止画像の撮像するための構図を決めるための画像である。また、ＣＭＯＳセンサ２０１で生成された動画像は、例えば、メモリカード２１８に記録される。メモリカード２１８などの記憶媒体に記録された動画像を、記録用動画像と呼ぶ。電子シャッタは、受光素子における１フレーム当たりの受光時間（撮像時間）を調整する。
【００１５】
メカシャッタ２０２は、交換レンズ３の光学系を介して入射された、ＣＭＯＳセンサ２０１に対する光学的信号の遮断又は通過を切り替える。メカシャッタ２０２は、開けたり閉じたりして、ＣＭＯＳセンサ２０１に当たる光の量を時間的に調整する。メカシャッタ２０２は、メカシャッタ駆動部（図示せず）によって駆動される。メカシャッタ駆動部は、モータ、バネ等の機構部品により構成され、ＣＰＵ２１１の制御に従って、メカシャッタ２０２を駆動する。
【００１６】
信号処理プロセッサ（ＤＳＰ）２０３は、ＡＤコンバータによってデジタル信号に変換された画像データに、所定の画像処理を施す。所定の画像処理は、ガンマ変換、ＹＣ変換、電子ズーム処理、圧縮処理、伸張処理等である。
【００１７】
バッファメモリ２０４は、信号処理プロセッサ２０３で処理を行うときとＣＰＵ２１１で制御処理を行うときのワークメモリとして作用する。バッファメモリ２０４は、例えば、ＤＲＡＭである。
【００１８】
液晶モニタ２０５は、カメラ本体２の背面に配置されるものであり、ＣＭＯＳセンサ２０１で生成された画像データ又はその画像データに所定の処理が施された画像データを表示する。液晶モニタ２０５に入力される画像信号は、信号処理プロセッサ２０３から液晶モニタ２０５に出力される際に、ＤＡコンバータによってデジタル信号からアナログ信号に変換される。
【００１９】
電子ビューファインダ２０６は、カメラ本体２に配置され、ＣＭＯＳセンサ２０１で生成された画像データ又はその画像データに所定の処理が施された画像データを表示する。電子ビューファインダ２０６に入力される画像信号も同様に、信号処理プロセッサ２０３から電子ビューファインダ２０６に出力される際、ＤＡコンバータによってデジタル信号からアナログ信号に変換される。
【００２０】
表示切替部２１７は、画像信号の表示を、液晶モニタ２０５と電子ビューファインダ２０６とで切り替える。すなわち、液晶モニタ２０５に画像が表示されている間は、電子ビューファインダ２０６には何も表示されない。また、電子ビューファインダ２０６に画像が表示されている間は、液晶モニタ２０５には何も表示されない。表示切替部２１７は、切り替えスイッチなどの物理的な構造で実現することができる。この場合、例えば、信号処理プロセッサ２０３と液晶モニタ２０５が電気的に接続されている状態で切り替えスイッチが切り替えられると、信号処理プロセッサ２０３と液晶モニタ２０５との電気的な接続が切断され、信号処理プロセッサ２０３と電子ビューファインダ２０６とが電気的に接続される。なお、表示切替部２１７は、切り替えスイッチに限定されず、ＣＰＵ２１１の制御信号に基づいて、液晶モニタ２０５と電子ビューファインダ２０６への表示の切り替えを行うものであればよい。また、本実施形態では、液晶モニタ２０５への表示と、電子ビューファインダ２０６への表示とを切り替えるようにしているが、液晶モニタ２０５への表示と電子ビューファインダ２０６への表示を同時に行なうようにしてもかまわない。同時に表示する場合、液晶モニタ２０５に表示する画像と、電子ビューファンダー２０６に表示する画像は、同じ画像であっても、異なる画像であってもかまわない。
【００２１】
電源２０７は、デジタルカメラ１で消費するための電力を供給する。電源２０７は、例えば乾電池であってもよいし、充電池であってもよい。また、電源コードにより外部から供給される電力をデジタルカメラ１に供給するものであってもよい。
【００２２】
ボディマウント２０８は、交換レンズ３のレンズマウント３０１と相俟って、交換レンズ３の着脱を可能にする部材である。ボディマウント２０８は、例えば、接続端子等により交換レンズ３と電気的に接続可能であるとともに、係止部材等のメカニカルな部材により交換レンズ３と機械的に接続可能である。ボディマウント２０８は、交換レンズ３のレンズコントローラ３１１からの信号をＣＰＵ２１１に出力し、且つＣＰＵ２１１からの信号を交換レンズ３のレンズコントローラ３１１に出力する。
【００２３】
フラッシュメモリ２０９は、内蔵メモリとして用いられる記憶媒体である。フラッシュメモリ２０９は、画像データ又はその画像データに所定の処理が施された画像データや、デジタル化された音声信号を格納する。さらに、フラッシュメモリ２０９は、ＣＰＵ２１１の制御のためのプログラムや設定値などを記憶することも可能である。カメラ本体２に設けられた絞り値を調整可能な操作部材（図示せず）を使用者に操作されることにより、使用者により設定された絞り値は、フラッシュメモリ２０９に格納される。
【００２４】
カードスロット２１０は、メモリカード２１８を着脱するためのスロットである。メモリカード２１８は、画像データ又はその画像データに所定の処理が施された画像データや、デジタル化された音声信号を格納する記憶媒体である。
【００２５】
ＣＰＵ２１１は、カメラ本体２の全体を制御する。また、ＣＰＵ２１１は、交換レンズ３側のレンズコントローラ３１１と制御信号や光学系に関する情報などを送受信する。ＣＰＵ２１１は、マイクロコンピュータで実現してもよく、ハードワイヤードな回路で実現してもよい。
【００２６】
シャッタスイッチ２１２は、カメラ本体２の上面に設けられた釦であり、使用者からの半押し及び全押し操作を検知する操作部である。シャッタスイッチ２１２は、使用者から半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。
【００２７】
ストロボ２１３は、ＣＰＵ２１１からの制御信号に基づいて、被写体に対して光の照射を行なう。例えば、ストロボ２１３は、キセノンランプやコンデンサー等を用いて実現できる。このように構成した場合、ストロボ２１３は、コンデンサーに高電圧の電荷を蓄積しておき、この電荷をキセノンランプの電極に加えることによって、光を照射する。
【００２８】
マイク２１４は、音声を電気信号に変換する。マイク２１４から出力された電気信号は、ＡＤコンバータによってデジタル信号に変換される。ＡＤコンバータで変換されたデジタル信号は、ＣＰＵ２１１の制御に従って、フラッシュメモリ２０９又はメモリカード２１８に記憶される。
【００２９】
スピーカ２１５は、電気信号を音声に変換する。スピーカ２１５へ入力される電気信号は、ＤＡコンバータでデジタル信号から電気信号に変換されたものである。このＤＡコンバータには、ＣＰＵ２１１の制御によって、フラッシュメモリ２０９又はメモリカード２１８から読み出されたデジタル信号が入力される。
【００３０】
１−３  交換レンズの構成
交換レンズ３は、レンズマウント３０１、対物レンズ３０２、ズームレンズ３０３、フォーカスレンズ３０４、ズームレンズ３０３を駆動するズーム駆動部３０５、フォーカスレンズ３０４を駆動するフォーカス駆動部３０６、絞り３０７、絞り３０７を駆動する絞り駆動部３０８、ズームリング３０９、フォーカスリング３１０、レンズコントローラ３１１、及びフラッシュメモリ３１２を備える。
【００３１】
交換レンズ３の光学系は、対物レンズ３０２とズームレンズ３０３とフォーカスレンズ３０４とを含み、被写体からの光を集光する。ズーム駆動部３０５は、レンズコントローラ３１１の制御にしたがって、ズームレンズ３０３を駆動させる。フォーカス駆動部３０６は、レンズコントローラ３１１の制御にしたがって、フォーカスレンズ３０４を駆動させる。ズームリング３０９は、交換レンズ３の外装に設けられ、使用者からの操作に応じて、ズームレンズ３０３を駆動する。フォーカスリング３１０は、交換レンズ３の外装に設けられ、使用者からの操作に応じて、フォーカスレンズ３０４を駆動させる。ズームレンズ３０３は、ズーム駆動部３０５又はズームリング３０９によって駆動され、ズーム倍率を調整する。フォーカスレンズ３０４は、フォーカス駆動部３０６又はフォーカスリング３１０によって駆動され、ピントの調節を行なう。ズームレンズ３０３とフォーカスレンズ３０４は可動レンズである。
【００３２】
絞り３０７は、光学系を通過する光の量を調整する。光の量の調整は、５枚羽根などで構成される開口径を大きくしたり、小さくしたりすることで行われる。絞り駆動部３０８は、レンズコントローラ３１１の制御に基づいて、絞り３０７の開口径の大きさを変更する。開口径の大きさはＦ値によって指定可能である。
【００３３】
フラッシュメモリ３１２は、図３に示す絞り値テーブル（詳細は後述）を格納する。絞り駆動部３０８は、絞り３０７の開口径の大きさを、カメラ本体２から指定された絞り値（Ｆ値）とフラッシュメモリ３１２に格納されている絞り値テーブルに基づいて調整する。なお、絞り駆動部３０８は、レンズコントローラ３１１からの制御に基づいて、絞り３０７を駆動するようにしているが、これに限られず、機械的な方法によって絞り３０７を駆動させてもよい。この場合、ボディマウント２０８に連動ピンを設け、連動ピンの駆動を絞り駆動部３０８が受けて、絞り３０７を駆動させる。連動ピンは、ＣＰＵ２１１により制御されたモータなどにより駆動される。
【００３４】
レンズコントローラ３１１は、交換レンズ３全体を制御する。レンズコントローラ３１１は、マイクロコンピュータで実現してもよく、ハードワイヤードな回路で実現してもよい。レンズコントローラ３１１は、カメラ本体２に対する交換レンズ３の絞り値の送信の制御を行う。レンズコントローラ３１１は、フラッシュメモリ３１２に格納されている絞り値テーブル（図３）を参照して、ズームレンズ３０３のズームポジション及び絞り３０７の開口径に基づいて、絞り値を算出する。ズームポジションは、例えば、ズームレンズ３０３の可動範囲におけるズームレンズ３０３の位置に応じて判断される。
【００３５】
図３を参照して、交換レンズ３の絞り値を算出するために使用される絞り値テーブルについて説明する。絞り値テーブルは、ズームレンズ３０３の位置（ズームポジション）と、絞り３０７の開口径と、それらによって決定される絞り値とを対応づけたテーブルである。ズームレンズ３０３の位置は、広角端に近いほどズームポジションに対応する数が小さく、望遠端に近いほどズームポジションに対応する数が大きくなるように構成されている。開口径は、段数で表現しており、段数が小さいほど開放側に、段数が大きいほど小絞り側になるように構成されている。絞り値テーブルを参照することにより、ズームポジションと、絞り値とに基づいて、絞り３０７を調整するために必要な絞りの開口径を算出できる。交換レンズ３は、絞り値テーブルを参照することで、カメラ本体２から受信した露出調整のための制御信号（絞り値を含む。）に基づいて、絞り３０７を調整することができる。
【００３６】
図４は、カメラ本体２のＣＰＵ２１１と交換レンズ３のレンズコントローラ３１１の具体的な構成を機能的に示した図である。
【００３７】
１−４  カメラ本体のＣＰＵの機能
カメラ本体２のＣＰＵ２１１は、交換レンズ３の明るさに関する情報（本実施形態において、絞り値（Ｆ値））の送信を要求する要求信号をレンズコントローラ３１１に送信する要求信号送信部２１と、レンズコントローラ３１１から送信される明るさに関する情報を受信する明るさ情報受信部２２と、受信した明るさに関する情報で示される明るさが既設定の明るさと異なるか否かを判別する判別部２３と、判別部２３の判別結果に応じて、交換レンズ３又はカメラ本体２を制御し、露出状態を調整する調整部２４と、を有する。
【００３８】
要求信号送信部２１は、画像データの露光開始のタイミングに関する同期信号を、明るさに関する情報を要求するための要求信号として、レンズコントローラ３１１に送信する。すなわち、ＣＭＯＳセンサ２０１で画像データを取得するタイミングを知らせる同期信号を、フレーム毎にレンズコントローラ３１１に順次送信する。画像データの露光開始のタイミングに関する同期信号は、タイミングジェネレータの垂直同期（ＶＤ）信号に応じて決定される。なお、ＣＰＵ２１１は、画像データの露光開始のタイミングに関する同期信号を送信することに代えて、露光終了のタイミングに関する同期信号を要求信号として送信するようにしてもかまわない。
【００３９】
明るさ情報受信部２２は、レンズコントローラ３１１から送信された交換レンズ３の明るさに関する情報（具体的には、絞り値）を取得する。明るさ情報受信部２２は、取得した交換レンズ３の絞り値に関する情報をフラッシュメモリ２０９に格納する。
【００４０】
判別部２３は、取得した明るさに関する情報で示される明るさが既設定の明るさと異なるか否かを判別する。具体的には、取得した交換レンズ３の絞り値が、既設定の絞り値と異なるか否かを判別する。ここで、「既設定の絞り値」について説明する。カメラ本体２の操作部材が使用者に操作されることにより絞り値が指定されると、カメラ本体２は露出状態を調整するための制御信号（絞り値を含む。）を交換レンズ３に送信し、且つ、その絞り値をカメラ本体２のフラッシュメモリ２０９に格納する。本実施形態では、フラッシュメモリ２０９に格納されているこの絞り値のことを既設定の絞り値と呼ぶ。判別部２３は、要求信号に応じて交換レンズ３から取得した絞り値を、フラッシュメモリ２０９に記憶されている既設定の絞り値と比較することにより、取得した交換レンズ３の絞り値が既設定の絞り値と異なるか否かを判別する。
【００４１】
判別部２３が、レンズコントローラ３１１から取得した交換レンズ３の絞り値とフラッシュメモリ２０９内に記憶されている既設定の絞り値とが異なると判別した場合に、調整部２４は露出調整のための各種動作を行なう。例えば、調整部２４は、既設定の絞り値となるように、交換レンズ３に絞り３０７を調整させたり、取得した交換レンズ３の絞り値に対応するようにカメラ本体２のＣＭＯＳセンサ２０１の撮影条件を調整したりする。
【００４２】
１−５  交換レンズのレンズコントローラの機能
交換レンズ３のレンズコントローラ３１１は、明るさに関する情報を要求するための要求信号を受信する要求信号受信部３１と、受信した要求信号に応じて、明るさに関する情報（本実施形態において、絞り値）を算出する明るさ情報算出部３２と、算出された明るさに関する情報をカメラ本体２のＣＰＵ２１１に送信する明るさ情報送信部３３とを有する。明るさ情報算出部３２は、絞り値テーブルを参照して、ズームレンズ３０３のズームポジションと絞り３０７の開口径とから絞り値を算出する。
【００４３】
２．  デジタルカメラの動作
図５に、カメラ本体２のＣＰＵ２１１と交換レンズ３のレンズコントローラ３１１との間の要求信号とその応答である絞り値の送受信のやり取りを示す。カメラ本体２は、フレーム毎、すなわち、垂直同期信号に応じて、要求信号を交換レンズ３に送信する。交換レンズ３は、要求信号を受信すると絞り値を算出して、算出した絞り値をカメラ本体２に送信する。この動作がフレーム毎に行われる。
【００４４】
絞り値は、図３に示すように、ズームレンズ３０９の位置と絞り３０７の開口径とにより決まる。そのため、カメラ本体２が交換レンズ３に絞り値「Ｆ８」を指定して、交換レンズ３が指定された絞り値「Ｆ８」に応じて絞り３０７の開口を調整していたとしても、使用者がズームリング３０９を操作してズーム倍率を変更すると、絞り値が変化してしまう。例えば、絞り値は、「Ｆ８」から「Ｆ１１」に変わる。しかし、本実施形態によれば、要求信号のタイミングで（すなわち、フレーム毎に）、その都度、交換レンズ３から絞り値を取得しているため、カメラ本体２は絞り値が変わったことを即座に認識することができる。
【００４５】
図６に、カメラ本体２のＣＰＵ２１１と交換レンズ３のカメラコントローラ３１１の制御のフローチャートを示す。図６を用いて、露出を調整させるための制御信号として、カメラ本体２から絞り値「Ｆ８」を指定する信号が交換レンズ３に送信され、交換レンズ３が絞り値「Ｆ８」に応じて絞り３０７を調整した状態（すなわち、既設定の絞り値＝Ｆ８）を例にして説明する。
【００４６】
カメラ本体２（ＣＰＵ２１１）は、ＣＭＯＳセンサ２０１が露光を開始したかどうかを判別する（Ａ１）。ＣＭＯＳセンサ２０１が露光を開始したことを判別すると（ステップＡ１でＹｅｓ）、カメラ本体２は交換レンズ３に要求信号として同期信号を送信する（Ａ２）。交換レンズ３は、要求信号を受信すると（Ｂ１）、交換レンズ３の絞り値を図３に示す絞り値テーブルに基づいて算出する（Ｂ２）。交換レンズ３は、算出した絞り値をカメラ本体２に送信する（Ｂ３）。カメラ本体２は、交換レンズ３の絞り値を受信し（Ａ３）、受信した絞り値に基づいて露出調整のための動作を行う（Ａ４）。
【００４７】
２−１  露出調整のための動作の例
以下、図７〜図１３を参照し、露出調整のための動作（ステップＡ４）の例をいくつか説明する。図７〜図１２はそれぞれ、変更後の絞り値に応じてデジタルカメラ１が自動で露出を調整する場合の動作を示し、図１３は変更後の絞り値に応じて使用者が手動で露出を調整可能にする場合の動作を示している。
【００４８】
図７は、露出調整のために交換レンズ３側において、絞りを調整する場合の動作を示している。カメラ本体２（ＣＰＵ２１１）は、受信した絞り値が既設定の絞り値と異なるか否かを判別する（Ｃ１）。例えば、図５の場合、カメラ本体２は絞り値「Ｆ８」をフラッシュメモリ２０９に記憶しており、取得した絞り値「Ｆ１１」が既設定の絞り値「Ｆ８」と異なるか否かを判別する。取得した絞り値が既設定の絞り値と異なると判別した場合、カメラ本体２は、交換レンズ３の絞り３０７を調整する。具体的には、ＣＰＵ２１１は、露出状態、特に絞りを調整するための制御信号（絞り値を含む。）を交換レンズ３に送信する（Ｃ２）。
【００４９】
図８は、露出調整のためにカメラ本体２側において、撮影条件を調整する場合の動作を示している。カメラ本体２（ＣＰＵ２１１）は、受信した絞り値が既設定の絞り値と異なるか否かを判別する（Ｄ１）。取得した絞り値が既設定の絞り値と異なると判別した場合、カメラ本体２は、取得した絞り値に応じて、撮影条件を設定（調整）する（Ｄ２）。撮像条件は、例えばＣＭＯＳセンサ２０１におけるＡＧＣの感度及び／又は受光素子の受光時間である。具体的には、ＣＰＵ２１１は、ＣＭＯＳセンサ２０１の撮影条件を調整する場合、直前の画像データの被写体の明るさに応じた既設定の露光量になるように、取得した絞り値に応じて、撮影条件を設定する。これは、交換レンズ３の絞り値が変化したことによって、ＣＭＯＳセンサ２０１の露光量が変化しているからである。例えば、ＣＭＯＳセンサ２０１に対して、既設定の露光量になるように、ＣＭＯＳセンサ２０１におけるＡＧＣの感度及び／又は受光素子の受光時間を調整する。すなわち、ＣＭＯＳセンサ２０１の露光感度及び１フレーム当たりの露光時間を調整する。
【００５０】
図９〜図１２は、所定の条件に基づいて、カメラ本体２側での撮影条件の調整（図８）と交換レンズ３側での絞りの調整（図７）とを切り替える場合の動作を示している。撮影条件の調整と絞りの調整の切り替えは、図９〜図１２に示すように、所定の条件（ステップＥ２、Ｆ２、Ｇ２、Ｈ２）に基づいて行われる。ここで、図９〜図１２の撮影条件の調整ステップ（ステップＥ３、Ｆ３、Ｇ３、Ｈ４）は図８のステップＤ２と同一であり、図９〜図１２の絞りの調整ステップ（ステップＥ４、Ｆ４、Ｇ４、Ｈ３）は図７のステップＣ２と同一である。また、図７〜図１２において、取得した絞り値と既設定の絞り値とを比較するステップ（Ｃ１、Ｄ１、Ｅ１、Ｆ１、Ｇ１、Ｈ１）は同一である。
【００５１】
図９は、撮像された画像データの見た目が滑らかである必要があるかどうかに基づいて撮影条件の調整と絞りの調整とを切り替える場合の動作を示している。画像データの見た目が滑らかである必要がある場合とは、例えば、ＣＭＯＳセンサ２０１で生成された動画像を、フラッシュメモリ２０９（または、メモリーカード２１８）に記録して保存する場合（動画記録中）である。このようにカメラ本体が動画記録中である場合、動画像を構成する画像フレーム間の明るさが異なっていると、記録される動画像が使用者にとっては見難い映像になる。例えば、カメラ本体２が動画記録中に、ズームレンズ３０３の駆動に対応して、絞り３０７の調整を行った場合、絞り３０７を目的となる開口径まで駆動させるのに時間がかかるため、場合によっては、画像フレーム間の明るさが異なってしまう。そのため、動画記録中は、絞り３０７を調整しないようにすることが好ましい。図９において、カメラ本体２は、取得した絞り値が既設定の絞り値と異なると判別した場合（ステップＥ１でＹｅｓ）、ＣＰＵ２１１は、ＣＭＯＳセンサ２０１で生成される画像データの滑らかさが必要かどうかを判別する（Ｅ２）。すなわち、ＣＰＵ２１１は、動画記録中か否かを判別する。ＣＰＵ２１１は、動画記録中であると判別した場合、交換レンズ３側の絞りの調整は行わず、カメラ本体２側で撮影条件を調整する（Ｅ３）。一方、ＣＰＵ２１１は、動画記録中でないと判別した場合、交換レンズ３側の絞りを調整する（Ｅ４）。これによって、カメラ本体２は、記録した動画像の見た目が悪くなるのをより軽減できる。
【００５２】
図１０は、音声録音中かどうかに基づいて撮影条件の調整（図８）と絞りの調整（図７）とを切り替える場合の動作を示している。カメラ本体２のマイク２１４で音声を取得し、取得した音声をフラッシュメモリ２０９に記憶する場合、交換レンズ３の絞り３０７が駆動されると、駆動音が録音されてしまい、この駆動音が雑音となる。このような雑音はより軽減されることが好ましい。したがって、ＣＰＵ２１１は、取得した絞り値が既設定の絞り値と異なる場合（ステップＦ１でＹｅｓ）、カメラ本体２で音声の記録動作中か否かを判別する（Ｆ２）。音声の記録動作中であると判別した場合、ＣＰＵ２１１は、カメラ本体２側の撮影条件を調整する（Ｆ３）。一方、音声の記録動作中でないと判別した場合、ＣＰＵ２１１は、交換レンズ３側の絞りを調整する（Ｆ４）。これによって、録音時に、雑音が音声として記憶されるのをより防止できる。
【００５３】
図１１は、エコモード（省電力モード）かどうかに基づいて撮影条件の調整（図８）と絞りの調整（図７）とを切り替える場合の動作を示している。この場合、デジタルカメラ１は、カメラ本体２に設けられた操作部材を操作されることにより、省電力モードと他のモードとの切り替えが可能なように構成されている。カメラ本体２及び交換レンズ３は、電源２０７（電池等）から電力が供給されて動作するため、消費する電力を減らすことができれば、長時間の動作が可能となる。そこで、ＣＰＵ２１１は、取得した絞り値が既設定の絞り値と異なる場合（ステップＧ１でＹｅｓ）、カメラ本体２で設定されているモードが省電力モードか否かを判別する（Ｇ２）。省電力モードに設定されていると判別した場合、ＣＰＵ２１１は、カメラ本体２側の撮影条件を調整する（Ｇ３）。一方、省電力モードに設定されていないと判別した場合、ＣＰＵ２１１は、交換レンズ３側の絞り３０７を調整する（Ｇ４）。これによって、省電力モードに設定されている場合は、交換レンズ３側の絞り駆動部３０８を駆動させることがなく、絞り駆動部３０８で消費される電力を低減でき、デジタルカメラ全体として消費電力を低減することができる。
【００５４】
図１２は、絞り値が安定しているかどうかに基づいて撮影条件の調整（図８）と絞りの調整（図７）とを切り替える場合の動作を示している。ＣＭＯＳセンサ２０１の撮影条件（感度や受光時間）を変化させると、以下のような問題が発生するおそれがある。
【００５５】
例えば、感度を上げると、ノイズが発生しやすくなる。また、受光時間を長くしたときに、被写体が動く物体である場合、画像データ内の被写体がブレた画像となる。したがって、このような場合は、カメラ本体２側の撮影条件を調整するよりも、交換レンズ３側の絞りを調整した方が、好ましい画像データが得られる。そのため、例えば、絞り値を固定しつつ、他の条件を調整する「絞り優先モード」がデジタルカメラ１に設けられる場合がある。また、消費電力や絞りの耐久性を考慮すると、絞り３０７の調整は、ズームの調整が終了して絞り値が安定したときのみ行うことが好ましい。一方、消費電力等を考慮したとしても、交換レンズ３の絞り３０７が安定している場合は、ＣＰＵ２１１は、絞りを調整するように制御した方が好ましい場合がある。
【００５６】
そこで、ＣＰＵ２１１は、取得した絞り値が既設定の絞り値と異なる場合（ステップＨ１でＹｅｓ）、取得した絞り値が、過去に送信された所定のフレーム以上で一致しているか否かを判別する（Ｈ２）。すなわち、絞り値が安定しているかどうかを判別する。所定のフレームとは、例えば、１０フレームである。所定のフレームで絞り値が一致していると判別した場合、ＣＰＵ２１１は絞りを調整する（Ｈ３）。一方、所定のフレームで一致していないと判別した場合、ＣＰＵ２１１は、撮影条件を調整する（Ｈ４）。これによって、消費電力等を考慮しつつ、より好ましい画像を取得することが可能となる。
【００５７】
図１３に、取得した絞り値が既設定の絞り値と異なる場合に、絞り値の変更を通知するメッセージを表示する場合の動作を示す。図１４にそのメッセージの表示例を示す。ＣＰＵ２１１は、交換レンズ３から取得した絞り値が既設定の絞り値と異なる場合（ステップＩ１でＹｅｓ）、図１４に示すように、液晶モニタ２０５の画面上に、絞り値が変更されたことを通知するメッセージを表示させる（Ｉ２）。このようにして、使用者に警告を表示し、使用者に絞り値を調整させるように促しても良い。使用者は、表示された警告に応じて、カメラ本体２の操作部材を操作するなどして、手動で絞り値の調整を行なうことができる。
【００５８】
３．まとめ
本発明のデジタルカメラ１によれば、カメラ本体２が同期信号毎（すなわち、フレーム毎）に交換レンズ３の明るさに関する情報の送信を要求し、交換レンズ３が同期信号毎に交換レンズ３の明るさに関する情報をカメラ本体２に送信するため、使用者により、交換レンズ３側でズームが調整されて絞り値が変更した場合であっても、カメラ本体２は変更後の絞り値を知ることができる。よって、撮像素子で順次生成される画像データ間（例えば、動画像）で、撮像素子の露出制御を円滑に行うことが可能になる。
【００５９】
また、露出調整を、カメラ本体２側の撮影条件の調整で行うか、又は交換レンズ３の絞り３０７の調整で行うかを、所定の条件（動画像撮影中かどうか、録音中かどうか、エコモードかどうか、又は絞り値が安定しているかどうか）によって切り替えることにより、より適切な露出調整を行うことができる。
【００６０】
４．他の実施の形態
本実施形態では、撮像部としてＣＭＯＳセンサ２０１を用いたが、撮像部は被写体像を撮像して、画像データ（デジタル信号又は電気信号）を生成できるものであれば、どのような構成であってもかまわない。すなわち、カメラ本体２は、受光素子、ＡＧＣ、ＡＤコンバータを備えるＣＭＯＳセンサ２０１を備えたが、これに限らず、例えば、別々の部材で構成されたＣＣＤイメージセンサとＡＤコンバータを備えても良い。なお、撮像部をＣＭＯＳセンサ２０１で構成した場合、電力消費を減らすことができる。
【００６１】
また、本実施形態では、ズームレンズ３０３のズームポジション及び絞り３０７の開口径に基づいて、交換レンズ３の絞り値を算出するようにしたが、絞り値の算出は本実施形態に限定されない。例えば、ズームレンズ３０３のズームポジションに代えて、フォーカスレンズ３０４のフォーカスポジションを利用して絞り値を求めても構わない。また、ズームレンズ３０３のズームポジションとフォーカスレンズ３０４のフォーカスポジションを利用して、絞り値を求めてもかまわない。また、絞り値は、図３に示す絞り値テーブルをフラッシュメモリ３１２に格納しておくことにより求めたが、これに限らず、計算式で求めるようにしても構わない。
【００６２】
本実施形態では、要求信号として同期信号を用いたが、要求信号は同期信号に限らない。例えば、ＣＰＵ２１１は、画像データがＣＭＯＳセンサ２０１から信号処理プロセッサ２０３に送信されたことを検知して、検知したタイミングで要求信号を交換レンズ３に送信するようにしてよい。
【００６３】
本実施形態では、露出状態を調整する必要があるか否かを、カメラ本体２の判別部２３が、取得した絞り値が既設定の絞り値と異なるか否かを判別することにより行ったが、
これに限定されない。露出状態を調整する必要があるか否かの判別は、判別部２３が取得した明るさに関する情報に応じて行うものであればよい。例えば、判別部２３は、取得した絞り値が変更されていた場合に、既設定の絞り値からの変化量に応じて、露出状態を調整するか否かを判別してもよい。この場合、例えば、絞り値が所定値以上変化した場合に、露出状態を調整する必要があると判別するように構成するとよい。
【００６４】
本実施の形態では、図９〜図１１に示すように、所定のステップ（ステップＥ３、Ｆ３、Ｇ３）では、撮影条件を調整し、所定のステップ（ステップＥ４、Ｆ４、Ｇ４）では、絞りを調整するようにした。しかし、これに限られず、所定のステップ（ステップＥ３、Ｆ３、Ｇ３）では、撮影条件と絞りの両方または何れか一方を調整し、撮影条件を優先的に調整するようにしてもかまわない。また、所定のステップ（ステップＥ４、Ｆ４、Ｇ４）では、絞りと撮影条件の両方または何れか一方を調整し、絞りを優先的に調整するようにしてもかまわない。撮影条件を優先的に調整するとは、例えば、撮影条件による露出状態の調整の大きさが、絞りによる露出状態の調整の大きさよりも大きくなればよい。同様に、絞りを優先的に調整する場合、絞りの調整の大きさが撮影条件よりも大きくなればよい。露出状態の調整の大きさは、例えば、ＥＶ値に対する影響の大きさである。
【００６５】
撮影条件又は絞りの制御をこのように構成する理由は、次の通りである。例えば、カメラ本体は、ステップＥ４で絞りを制御して、露出状態を調整しようとした場合、絞りを限界まで制御しても、所望の露出状態に調整できないことがある。そのため、カメラ本体は、適切な露出状態にするために、絞りの制御に加えて撮影条件の制御が必要になるからである。したがって、他の実施の形態では、例えば、カメラ本体は、絞りを制御しただけで、露出状態を所望の状態まで調整できないと判断した場合、絞りに加えて撮影条件を調整する。これによって、カメラ本体は、適切な露出制御を行うことができるようになる。
【００６６】
また、他の実施の形態では、図９〜図１２に限らず、取得した絞り値が既設定の絞り値と異なる場合、以下のように構成してもかまわない。例えば、（１）ＣＭＯＳイメージセンサー２０１から生成された画像データにフリッカーが発生しているか否かに応じて、制御を変更する、または、（２）ＣＭＯＳイメージセンサー２０１から生成された画像データに白飛び（電荷の飽和）が発生しているか否かに応じて、制御を変更する、などが考えられる。１つずつ簡単に説明する。
【００６７】
（１）ＣＭＯＳイメージセンサーでフリッカーが発生しているか否かに応じて、制御を変更する、について、図１６を用いて説明する。図１６は、ＣＭＯＳイメージセンサーから生成された画像データにフリッカーが発生しているかどうかに基づいて撮影条件の調整（図８）と絞りの調整（図７）とを切り替える場合の動作を示している。
【００６８】
カメラ本体２は、フリッカーが発生している場合、つまり、蛍光灯の下で撮影をしている場合、露光時間を短くすると、画像データのフリッカーが目立つようになる。このため、カメラ本体２は、画像データでフリッカーが発生している場合、露光時間が短くなるのを抑えるようにすれば、より好ましい画像データをユーザに提供できるようになる。そこで、ＣＰＵ２１１は、取得した絞り値が既設定の絞り値と異なる場合（ステップＪ１でＹｅｓ）、ＣＭＯＳイメージセンサーから生成される画像データにフリッカーが発生しているか否かを判別する（Ｊ２）。フリッカーが発生していると判別した場合、ＣＰＵ２１１は、交換レンズ３側の絞り３０７を調整する（Ｊ３）。一方、フリッカーが発生していないと判別した場合、ＣＰＵ２１１は、カメラ本体２側の撮影条件を調整する（Ｊ４）。これによって、フリッカーが発生している場合は、交換レンズ３側の絞り駆動部３０８を駆動させて、露光時間がこれ以上短くならないようにする。これによって、ユーザにより好ましい動画像を提供できるようになる。なお、ＣＰＵ２１１は、上記他の実施の形態と同様、絞りを優先的に制御するようにしてもかまわない。
【００６９】
ここで画像データにフリッカーが発生しているか否かは、公知の技術を用いて判断できるため、詳細は省略する。
【００７０】
（２）ＣＭＯＳイメージセンサーで電荷の飽和が発生しているか否かに応じて、制御を変更する、について、図１７を用いて説明する。図１７は、ＣＭＯＳイメージセンサーから生成された画像データに白飛びが発生しているかどうかに基づいて撮影条件の調整（図８）と絞りの調整（図７）とを切り替える場合の動作を示している。カメラ本体２は、ＣＭＯＳイメージセンサー２０１で生成された画像データに白飛びが発生している場合、つまり、ＣＭＯＳイメージセンサー２０１で電荷の飽和が発生している場合、ある画素の電荷の飽和が他の画素の電荷に影響を与える可能性がある（ＣＣＤでは、スミアとなる）。このため、カメラ本体２は、ＣＭＯＳイメージセンサー２０１の生成された画像データに白飛びが発生していると判断した場合、露光時間が短くなるのを抑えるようにすれば、より好ましい画像データをユーザに提供できるようになる。そこで、ＣＰＵ２１１は、取得した絞り値が既設定の絞り値と異なる場合（ステップＫ１でＹｅｓ）、ＣＭＯＳイメージセンサーから生成される画像データに白飛びが発生しているか否かを判別する（Ｋ２）。白飛びが発生していると判別した場合、ＣＰＵ２１１は、交換レンズ３側の絞り３０７を調整する（Ｋ３）。一方、白飛びが発生していないと判別した場合、ＣＰＵ２１１は、カメラ本体２側の撮影条件を調整する（Ｋ４）。これによって、白飛びが発生している場合は、露光時間交換レンズ３側の絞り駆動部３０８を駆動させて、露光時間がこれ以上短くならないようにする。これによって、ユーザにより好ましい動画像を提供できるようになる。なお、ＣＰＵ２１１は、上記他の実施の形態と同様、絞りを優先的に制御するようにしてもかまわない。
【００７１】
ここで画像データに白飛びが発生しているか否かは、公知の技術を用いて判断できるため、詳細は省略する。
【００７２】
本実施形態において、交換レンズ３は、デジタルスチルカメラに着脱可能なデジタルスチルカメラ用のレンズであったが、これに限らない。例えば、交換レンズ３は、デジタルビデオカメラに着脱可能なデジタルビデオカメラ用のレンズであっても良いし、デジタルスチルカメラとデジタルビデオカメラの両方に着脱可能なレンズであってもよい。
【００７３】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。なお、本出願は日本国特許出願、特願２００８−１１２３４３号（２００８年４月２３日提出）に関連し、それらの内容は参照することにより本文中に組み入れられる。
【産業上の利用可能性】
【００７４】
本発明は、使用者により交換レンズ側でズームが調整されて絞り値が変更した場合であっても、適切な露出制御ができるという効果を有し、カメラ本体に着脱可能な交換レンズ、その交換レンズを装着可能なカメラ本体、及び交換レンズとカメラ本体を備えた撮像装置に有用である。
【符号の説明】
【００７５】
１      デジタルカメラ
２      カメラ本体
３      交換レンズ
２０１  ＣＭＯＳセンサ
２０２  メカシャッタ
２０３  信号処理プロセッサ
２０４  バッファメモリ
２０５  液晶モニタ
２０６  電子ビューファインダ
２０７  電源
２０８  ボディマウント
２０９  フラッシュメモリ
２１０  カードスロット
２１１  ＣＰＵ
２１２  シャッタスイッチ
２１３  ストロボ
２１４  マイク
２１５  スピーカ
３０１  レンズマウント
３０２  対物レンズ
３０３  ズームレンズ
３０４  フォーカスレンズ
３０５  ズーム駆動部
３０６  フォーカス駆動部
３０７  絞り
３０８  絞り駆動部
３０９  ズームリング
３１０  フォーカスリング
３１１  レンズコントローラ
３１２  フラッシュメモリ
【図１】
2009282510.tif 000003
【図２】
2009282510.tif 000004
【図３】
2009282510.tif 000005
【図４】
2009282510.tif 000006
【図５】
2009282510.tif 000007
【図６】
2009282510.tif 000008
【図７】
2009282510.tif 000009
【図８】
2009282510.tif 000010
【図９】
2009282510.tif 000011
【図１０】
2009282510.tif 000012
【図１１】
2009282510.tif 000013
【図１２】
2009282510.tif 000014
【図１３】
2009282510.tif 000015
【図１４】
2009282510.tif 000016
【図１５】
2009282510.tif 000017
【図１６】
2009282510.tif 000018
【図１７】
2009282510.tif 000019